【事件の表示】
　特許第６５６８４７９号発明「電気モジュール及び電気モジュールの製造方法」の特許異議申立事件について、次のとおり決定する。
【結　論】
　特許第６５６８４７９号の請求項１、３に係る特許を取り消す。
【理　由】
１　手続の経緯
　特許第６５６８４７９号の請求項１〜５に係る特許（以下、「本件特許」という。）についての出願は、２０１５年（平成２７年）２月１７日（優先権主張平成２６年２月１７日、日本国）を国際出願日とする出願であって、令和１年８月９日にその特許権の設定登録がなされ、同年８月２８日にその特許掲載公報が発行された。
　本件は、その後、その特許について、令和２年２月２６日に特許異議申立人安藤宏（以下、「申立人」という。）により請求項１及び３に対してなされた特許異議申立て事件であって、同年６月８日付けで取消理由を通知し期間を与えて意見を求めたものの、特許権者から意見書が提出されなかったものである。
２　本件発明
　本件特許の特許請求の範囲の請求項１〜５（以下、請求項数に応じて「本件発明１」〜「本件発明５」という。また、これらをまとめて「本件発明」という。）は、願書に添付された特許請求の範囲の請求項１〜５に記載された次のとおりのものである。
「【請求項１】
　第一の導電膜が成膜された第一の基板に半導体層が形成された光電極と、第二の導電膜が成膜された第二の基板を備えた対向電極と、電解質とを備え、前記光電極と前記対向電極とが、これらの間に複数の内部空間を形成するように貼り合わされて封止され、前記電解質が前記複数の内部空間それぞれに充填されることで、直列接続された複数の発電素子が形成されており、
　前記第一の導電膜及び前記第二の導電膜の少なくとも一方には、前記複数の発電素子の区切りとなる絶縁帯が形成され、
　前記光電極と前記対向電極と間の封止部の少なくとも一部は、前記第一の導電膜と前記第二の導電膜とを封止材によって接着させて形成され、
　前記第一の導電膜及び前記第二の導電膜のうち、少なくとも一方が前記内部空間から電気的に連続して前記絶縁帯が形成されていない状態で前記封止材を越えて前記内部空間の外側に延設されており、かつ、延設された部分の表面上に、前記部分と導通可能な状態で導電材が配されており、
　前記導電材には、端子が接続され、
　前記端子は、前記光電極と前記対向電極との間から、かつ、前記光電極又は前記対向電極の外縁から突出するように設けられていることを特徴とする電気モジュール。
【請求項２】
　前記導電材は、前記端子により前記第一の導電膜及び前記第二の導電膜の少なくとも一方に固定されていることを特徴とする請求項１に記載の電気モジュール。
【請求項３】
　前記第一の導電膜及び前記第二の導電膜の両方が、前記内部空間から電気的に連続して前記絶縁帯が形成されていない状態で前記封止材を越えて前記内部空間の外側に延設され、ここで前記第一の導電膜及び前記第二の導電膜は、前記内部空間を挟んで反対側に延設されており、かつ、前記第一の導電膜及び前記第二の導電膜の延設された部分のそれぞれの表面上に、前記部分と導通可能な状態で前記導電材が配されていることを特徴とする、請求項１または２に記載の電気モジュール。
【請求項４】
　請求項１〜３のいずれか１項に記載の電気モジュールの製造方法であって、
　前記光電極と前記対向電極とをそれぞれ一方向に延在するよう連続的に繰り出す工程と、
　前記光電極と前記対向電極とを、これらの間に前記複数の内部空間を形成するように貼り合せて封止し、この際、前記光電極と前記対向電極と間の前記封止部の少なくとも一部の形成を前記封止材を用いて行って前記複数の発電素子を形成し、前記第一の導電膜及び前記第二の導電膜のうち、少なくとも一方を前記内部空間から電気的に連続して前記絶縁帯が形成されていない状態で前記封止材を越えて前記内部空間の外側に延設させた状態とする封止工程と、
　前記導電膜の延設された部分の表面上に前記導電材を配する導電材配置工程とを備えていることを特徴とする電気モジュールの製造方法。
【請求項５】
　前記封止材は、前記一方向に交叉する方向の少なくとも一端側に、前記一方向に延設させ、
　前記導電材は、前記一方向に平行に配されていることを特徴とする請求項４に記載の電気モジュールの製造方法。」
３　取消理由の概要
（１）本件特許の請求項１に係る発明は、本件特許に係る出願の優先日前日本国内または外国において頒布された下記Ａの刊行物に記載された発明又は電気通信回線を通じて公衆に利用可能となった発明であって、特許法第２９条第１項第３号に該当し、特許を受けることができないから、その発明に係る特許は取り消されるべきものである。
（２）本件特許の請求項１、３に係る発明は、本件特許に係る出願の優先日前日本国内または外国において頒布された下記Ａ〜Ｃの刊行物に記載された発明又は電気通信回線を通じて公衆に利用可能となった発明に基いて、その優先日前にその発明の属する技術の分野における通常の知識を有する者（以下、「当業者」という。）が容易に発明をすることができたものであって、特許法第２９条第２項の規定により特許を受けることができないから、その発明に係る特許は取り消されるべきものである。
（刊行物）
Ａ　特表２００５−５２８７５０号公報（平成１７年　９月２２日公表）
（申立人が提出した甲第１号証、以下、「甲１」という。）
Ｂ　特表２００２−５４０５５９号公報（平成１４年１１月２６日公表）
（申立人が提出した甲第２号証、以下、「甲２」という。）
Ｃ　特開２０１１−２３３５１３号公報（平成２３年１１月１７日公開）
（申立人が提出した甲第３号証、以下、「甲３」という。）
４　刊行物記載の事項、及び、刊行物記載の発明
（１）甲１の記載
　甲１には、次の記載がある。なお、下線は当審で付した。以下、同じ。
「【００２１】
　図１、図２及び図３は、正方形のガラス板２，２’から組み立てられた
液体封入式の光起電力素子１
「【００２６】
　図８は、
直列に接続されると共に共通の正方形のガラス板２，２’の各象限に配備された４つの光起電力単一電池
２０から組み立てられた
ガラス板上には、
ＴＣＯ層１３，１３’と、
ホットメルトポリマーフォイルの絶縁層１５，１５’で被覆されたＡｇ導体１４，１４’のパターンとが連続的に配されている
色素増感ナノ結晶ＴｉＯ2の各パターン１６が絶縁されたＡｇ導体１４とＡｇ導体１４との間に配されて
Ｐｔの薄層の各パターン１７（当審注：甲１では、下側の基板１２’上に形成された部材は全て「‘」が付されていることから、「Ｐｔの薄層の各パターン１７」は「Ｐｔの薄層の各パターン１７’」の誤記であると考えられる。）が絶縁されたＡｇ導体１４’とＡｇ導体１４’との間に配されて
上側の基板１２
作用電極を形成し
下側の基板１２’
対向電極を形成
電解液は、それぞれの作用電極及び対向電極の間のスペースに受け入れられる
Ａｇ導体１４，１４’は、周囲の一部に沿って延びる各導体により相互に接続されており、そして該導体には、直列に接続するために、個々の単一電池２０と、素子１０から電流をとるために、タブ９、９’との間に結線（図示せず）は配されている
【００２７】
　図９は、図８に示した素子１０の単一電池２０の作用電極及び対向電極にそれぞれあるＡｇ導体１４，１４’のパターンを示している。パターン１４，１４’は、各単一電池について別々であると共に素子１０のために鏡面対称であり、作用電極及び対向電極にある電気導体は、各基板の周囲の一部に沿って延びる縁部区域で相互に接続されており、そこでは、導体は、基板の幅の半分よりも小さな距離にわたり縁部区域から平行な仕方で延びている。
【００２８】
　図１０は、封止フォイル１５，１５’のパターンを示しており、そこでは、作用電極に配される１つのタブ１９が同作用電極上の導体１４にかぶさるフォイル１５により分かる状態にされると共に、対向電極にある導体１４’にかぶさるフォイル１５’により覆われ、そして対向電極に配される１つのタブ１９’が同対向電極上の導体１４’にかぶさるフォイル１５’により分かる状態にされると共に、作用電極にある導体１４にかぶさるフォイル１５により覆われるような方法で、凹部２１，２１’が各直列結線（図示せず）のため及びタブ１９，１９’のためにそれぞれ配されている。
【００２９】
　図１１は、それぞれ作用電極及び対向電極のための基板にある各ＴｉＯ2層のパターン１６と、それと一致し且つ鏡面対称である、Ｐｔ層１７’とを示している。
【００３０】
　図１２は、
レーザーを使用して単一電池２０と単一電池２０との間に電気絶縁溝２３，２３’
が配されたＴＣＯ層１３，１３’を備える
作用電極及び対向電極のための基板１２，１２’
【００３１】
　図１３は、素子に液体を充填する前の製造プロセスにおける一段階中の対向電極（Ｐｔ層１７’を有する寸法３０ｃｍ×３０ｃｍの基板１２’）を示しており、これは充填後に封止されるべき中央に配置された４つの充填開口４２を備えている。充填開口４２の中央配置と、基板１２，１２’の幅の半分よりも小さな距離にわたり縁部区域から平行な仕方で延びる導体１４，１４’の配置とは、液体が充填開口４２から半径方向に向けられる遠心力の影響下に作用電極及び対向電極間のスペース内に導入されることを可能にする。」
「【図１】
【図２】
【図３】
　　　　　　　　　　　　　　　　　　　　　　　　　　　　　　　　　　　」                                                                             
「【図８】
【図９】
【図１０】
【図１１】
【図１２】
【図１３】
　　　　　　　　　　　　　　　　　　　　　　　　　　　　　　」
（２）甲１記載の事項及び甲１記載の発明
ア　上記（１）より、甲１には、液体封入式の光起電力素子１について、記載されているといえる。
イ　上記（１）の【００２６】より、甲１の液体封入式の光起電力素子１は、直列に接続されると共に共通の正方形のガラス板２，２’の各象限に配備された４つの光起電力単一電池２０から組み立てられたものである。
ウ　上記（１）の【００２６】より、甲１の液体封入式の光起電力素子１において、作用電極を形成する上側の基板１２には、ＴＣＯ層１３と、ホットメルトポリマーフォイルの絶縁層１５で被覆されたＡｇ導体１４のパターンとが連続的に配され、色素増感ナノ結晶ＴｉＯ2の各パターン１６がＡｇ導体１４とＡｇ導体１４との間に配されている。
エ　上記（１）の【００２６】より、甲１の液体封入式の光起電力素子１において、対向電極を形成する下側の基板１２’には、ＴＣＯ層１３’と、ホットメルトポリマーフォイルの絶縁層１５’で被覆されたＡｇ導体１４’のパターンとが連続的に配され、Ｐｔの薄層の各パターン１７’がＡｇ導体１４’とＡｇ導体１４’との間に配されている。
オ　上記（１）の【００２６】の「Ａｇ導体１４，１４’は、周囲の一部に沿って延びる各導体により相互に接続されており、そして該導体には、直列に接続するために、個々の単一電池２０と、素子１０から電流をとるために、タブ９、９’との間に結線（図示せず）は配されている」との記載より、直列に接続された４つの単一電池２０は、一つの単一電池２０のＡｇ導体１４と、該単一電池２０に隣接する別の単一電池２０のＡｇ導体１４’が、不図示の結線で接続されている。
　また、図３から、タブ９’とＡｇ導体４’とが接続されていることが看取されるから、図８においても同様に、タブ１９とＡｇ導体１４の間及びタブ１９’とＡｇ導体１４’も接続されていると解される。
カ　上記（１）の【００２６】より、甲１の液体封入式の光起電力素子１において、電解液は、それぞれの作用電極及び対向電極の間のスペースに受け入れられる。
キ　上記（１）の【００３０】より、甲１の液体封入式の光起電力素子１において、作用電極の基板１２及び対向電極の基板１２’には、単一電池２０と単一電池２０との間に電気絶縁溝２２，２２’が配されたＴＣＯ層１３，１３’を備える。
ク　上記（１）の【００２８】の「図１０は、封止フォイル１５，１５’のパターンを示しており、そこでは、・・・（略）・・・対向電極に配される１つのタブ１９’が同対向電極上の導体１４’にかぶさるフォイル１５’により分かる状態にされると共に、作用電極にある導体１４にかぶさるフォイル１５により覆われるような方法で、凹部２１，２１’が各直列結線（図示せず）のため及びタブ１９，１９’のためにそれぞれ配されている」とは、特に、「分かる状態にされる」とは、どのような意味であるかが理解しがたい。
　一方、甲１の公表特許公報に対応する国際公開第２００３／１０２９８６号の、上記記載に対応する箇所には、「Fig. 10 shows a pattern of a sealing foil 15, 15' in which are arranged recesses 21, 21' for respective series connections (not shown) and respective tabs 19, 19' in a manner such that ・・・（略）・・・ a tab 19' arranged on a counter-electrode is left clear by the foil15' over conductors 14' on that counter- electrode, and is covered by foil 15 over conductors 14 on the work electrode.」（第８頁第２４〜３４行）と記載されており、この英文からすると、上記「分かる状態にされる」とは、「clearな状態にされる」との意味である。
ケ　また、甲１の液体封入式の光起電力素子１において、上記（１）の【００２６】より、Ａｇ導体１４、１４’はホットメルトポリマーフォイルの絶縁層１５、１５’で被覆されたものであるから、図９から看取されるＡｇ導体１４、１４’と図１０から看取されるホットメルトポリマーフォイルの絶縁層１５、１５’との位置関係から、Ａｇ導体１４、１４’はホットメルトポリマーフォイルの絶縁層１５、１５’の凹部２１、２１’から露出しているといえる。
コ　そして、図８から、「タブ１９’」が「ホットメルトポリマーフォイルの絶縁層１５’」の「凹部２１’」とほぼ重なることが看取でき、さらに、上記ケの「Ａｇ導体１４’」は「凹部２１’」から露出していることを踏まえると、「タブ１９’」は「Ａｇ導体１４’」に接続しているといえる。
サ　そうすると、上記クから導き出せる「対向電極に配される１つのタブ１９’が同対向電極上の導体１４’にかぶさるフォイル１５’によりclearな状態にされる」とは、上記ク〜コの検討より、甲１の液体封入式の光起電力素子１において、対向電極に配される１つのタブ１９’が同対向電極上の導体１４’と接続されると共に、タブ１９’がフォイル１５’により覆われることなく露出する状態にされるとの意味であると解される。
シ　図１１より、色素増感ナノ結晶ＴｉＯ2の各パターン１６及びＰｔの薄層の各パターン１７’は、上下左右に４分割されており、これら分割されたパターン１６，１７’間の境界は十字状をなしていることが看取でき、また、図１０より、封止フォイル１５，１５’のうち中央で十字状に形成された部分によって上下左右の各象限に４分割されていることが看取できるから、「４つの光起電力単一電池２０」（【００２６】）は、略正方形の「液体封入式の光起電力素子１」を、上下左右の各象限に４分割したものであるといえる。
ス　上記シを踏まえると、図１０より、ホットメルトポリマーフォイルの絶縁層１５、１５’のパターンは、互いに隣接する「４つの光起電力単一電池２０」の間の境界全てに形成されていることが看取できる。
セ　上記（１）の【００３０】によれば、電気絶縁溝２２，２２’は、それぞれ、一体として形成されたＴＣＯ層１３，１３’を電気的に分離するために当該ＴＣＯ層にレーザー照射することによって形成されたものであり、また、上記シの検討を踏まえると、図１２の中心部に略卍状に形成された電気絶縁溝２２，２２’は、互いに隣接する単一電池２０間の境界のみに形成されていることが看取でき、したがって、図８に示されたタブ１９，１９’のそれぞれに接続されるＡｇ導体１４，１４’が形成されている領域のＴＣＯ層１３，１３’には電気絶縁溝２２，２２’は形成されていないといえる。
ソ　上記シを踏まえると、図８より、左上の象限の単一電池において、タブ１９’は、上側の基板１２及び下側の基板１２’の外縁から突出するように設けられていることが看取できる。
タ　甲１の図８の実施例に注目すると、上記ア〜ソより、甲１には、次の発明（以下、「甲１発明」という。）が記載されていると認められる。
「直列に接続されると共に共通の正方形のガラス板２，２’の各象限に配備された４つの光起電力単一電池２０（以下、「単一電池２０」ということもある。）から組み立てられた液体封入式の光起電力素子１であって、
　作用電極を形成する上側の基板１２には、ＴＣＯ層１３と、ホットメルトポリマーフォイルの絶縁層１５で被覆されたＡｇ導体１４のパターンとが連続的に配され、色素増感ナノ結晶ＴｉＯ2の各パターン１６がＡｇ導体１４とＡｇ導体１４との間に配されており、
　対向電極を形成する下側の基板１２’には、ＴＣＯ層１３’と、ホットメルトポリマーフォイルの絶縁層１５’で被覆されたＡｇ導体１４’のパターンとが連続的に配され、Ｐｔの薄層の各パターン１７’がＡｇ導体１４’とＡｇ導体１４’との間に配されており、
　直列に接続された上記４つの単一電池２０は、一つの単一電池２０のＡｇ導体１４と、該単一電池２０に隣接する別の単一電池２０のＡｇ導体１４’が、結線で接続されており、
　電解液は、それぞれの作用電極及び対向電極の間のスペースに受け入れられ、
　作用電極の基板１２及び対向電極の基板１２’には、互いに隣接する単一電池２０と単一電池２０との間の境界に電気絶縁溝２２，２２’が配されたＴＣＯ層１３，１３’を備え、
　Ａｇ導体１４，１４’はホットメルトポリマーフォイルの絶縁層１５，１５’の凹部２１，２１’から露出しており、作用電極に配される１つのタブ１９が同作用電極上のＡｇ導体１４と接続され、
　対向電極に配される１つのタブ１９’が同対向電極上のＡｇ導体１４’と接続されると共に、タブ１９’がフォイル１５’により覆われることなく露出する状態にされ、
　ホットメルトポリマーフォイルの絶縁層１５，１５’のパターンは、互いに隣接する単一電池２０間の境界全てに形成されており、
　電気絶縁溝２２，２２’は、互いに隣接する単一電池２０間の境界のみに形成されており、タブ１９，１９’のそれぞれに接続されるＡｇ導体１４，１４’が形成されている領域には形成されておらず、
　タブ１９，１９’は、上側の基板１２及び下側の基板１２’の外縁から突出するように設けられている、
液体封入式の光起電力素子１。」
（３）甲２の記載
　甲２には、次の記載がある。
「【請求項１】 二つの基板（１、１２）間に積層された二つまたはそれ以上の光電気化学セルを有し、該基板の内表面上に支持された対向する電気伝導体（２、１１）を有し、ここで、少なくとも一つの伝導体およびそれに隣接する基板は実質的に可視光に対し透明であり、また、ここで各基板上の伝導体は電気的に分離された領域になるように各々隔てられており、各々のセルは対向する平面伝導体の二つの領域の部分間に形成されていて、各々のセルは：光アノード（３）、カソード（１１）および電解質媒体（５）を含み、該電解質媒体は該光アノードと該カソード間に配置され、
隣接する光電気化学セルは伝導粒子（６）を含む電気的導通材料により直列に電気的に導通される
　【請求項２】 
伝導粒子が、第ｎ番目のセルの光アノードに隣接する伝導体の領域の分離された部分と、第ｎ＋１番目のセルのカソードに隣接する対向する伝導体の領域の分離された部分との間に配置され
　【請求項３】 
第一のセルのカソードに隣接する伝導体の領域の分離された部分と、最後のセルの光アノードに隣接する伝導体の領域の分離された部分とに設けられた電気的接触（７）によって、デバイスに外部電気的接続がなされる
「【０００１】
　 （発明の技術分野）
　本発明は
多重セル再生型光起電光電気化学（ＲＰＥＣ）デバイス
「【００１２】
　図１を参照すると、ＲＰＥＣモジュールのこの部分は
二つのガラス基板（１、１２）を有し、その両方には透明な電子伝導体（ＴＥＣ）コート（２、１１）が被覆されている。ＴＥＣ層は電気的に各個別のセルを分離するよう、選択的に分離されている（３、１０）
カソードは、一つのＴＥＣコート（２）に付着させた白金電気触媒（４）を含み、光アノードはもう一つのＴＥＣコート（１１）に付着させたルテニウム染料感光性チタニア（９）を含み、酸化還元媒体を含む電解質（５）はカソードと光アノードの間に配置される
 【００１３】
　図２を参照すると、ＲＰＥＣモジュールのこの概略は、二つのガラス基板（１、１２）を有し、その両方には透明な電子伝導体（ＴＥＣ）コート（２、１１）が被覆されている。カソードは、一つのＴＥＣコート（２）に付着させた白金電気触媒（４）を含む。光アノードはもう一つのＴＥＣコート（１１）に付着させたルテニウム染料感光性チタニア（９）を含む。ＴＥＣコ−ト除去された場所（３、１０）に、導通路（１３）と細片も示されている。
 【００１４】
　図３を参照すると、本発明に従って形成されるＲＰＥＣモジュールの別の実施例が描写される。図１で設定されたのと同じ構成要素には、同じ参照番号が図３で用いられていて、これら構成要素にはさらなる記載は与えられない。参照番号（１４）は、各電池の電解質（５）を分離するための電解質不透隔壁を形成する保護層を意味する。」
「【図１】
【図２】
【図３】
　　　　　　　　　　　　　　　　　　　　　　　　　　　　　　　　」
（４）甲２記載の事項及び甲２記載の発明
ア　上記（３）の【０００１】より、甲２には、多重セル再生型光起電光電気化学（ＲＰＥＣ）デバイスについて、記載されている。
イ　上記（３）の【００１２】より、甲２の多重セル再生型光起電光電気化学（ＲＰＥＣ）デバイスについて、二つのガラス基板（１、１２）を有し、その両方には透明な電子伝導体（ＴＥＣコート）（２、１１）が被覆されており、ＴＥＣ層は電気的に各個別のセルを分離するよう、選択的に分離されている（３、１０）。
ウ　上記（３）の【００１２】より、甲２の多重セル再生型光起電光電気化学（ＲＰＥＣ）デバイスについて、カソードは、一つのＴＥＣコート（２）に付着させた白金電気触媒（４）を含み、光アノードはもう一つのＴＥＣコート（１１）に付着させたルテニウム染料感光性チタニア（９）を含み、酸化還元媒体を含む電解質（５）はカソードと光アノードの間に配置される。
エ　上記（３）の【請求項１】より、甲２の多重セル再生型光起電光電気化学（ＲＰＥＣ）デバイスについて、隣接する光電気化学セルは伝導粒子（６）を含む電気的導通材料により直列に電気的に導通される。
オ　上記（３）の【請求項２】より、甲２の多重セル再生型光起電光電気化学（ＲＰＥＣ）デバイスについて、伝導粒子が、第ｎ番目のセルの光アノードに隣接する伝導体の領域の分離された部分と、第ｎ＋１番目のセルのカソードに隣接する対向する伝導体の領域の分離された部分との間に配置される。
カ　上記（３）の【請求項３】より、甲２の多重セル再生型光起電光電気化学（ＲＰＥＣ）デバイスについて、第一のセルのカソードに隣接する伝導体の領域の分離された部分と、最後のセルの光アノードに隣接する伝導体の領域の分離された部分とに設けられた電気的接触（７）によって、デバイスに外部電気的接続がなされる。
キ　上記（３）の図３より、甲２の多重セル再生型光起電光電気化学（ＲＰＥＣ）デバイスについて、２つの電解質不透隔壁（１４）が、隣接するセル間に設けられた伝導粒子（６）を挟むように、カソードのＴＥＣコート（２）及び光アノードのＴＥＣコート（１１）に接して設けられていることが看取できる。また、上記電解質不透隔壁（１４）は、その文言から、各光電気化学セルから電解質が流出することを防止する機能を有する隔壁であることは明らかであるので、各光電気化学セルを囲むように形成されているものであることが理解される。
ク　甲２の図３の実施例に注目すると、上記ア〜キ．より、甲２には、次の発明（以下、「甲２発明」という。）が記載されていると認められる。
「二つのガラス基板（１、１２）を有し、その両方には透明な電子伝導体（ＴＥＣコート）（２、１１）が被覆されており、ＴＥＣコート（２、１１）は電気的に各個別の光電気化学セル（以下「セル」という。）を分離するよう、選択的に分離されており（３、１０）、
　カソードは、一つのＴＥＣコート（２）に付着させた白金電気触媒（４）を含み、
　光アノードはもう一つのＴＥＣコート（１１）に付着させたルテニウム染料感光性チタニア（９）を含み、
　酸化還元媒体を含む電解質（５）はカソードと光アノードの間に配置され、
　隣接するセルは伝導粒子（６）を含む電気的導通材料により直列に電気的に導通され、
　伝導粒子（６）が、第ｎ番目のセルの光アノードに隣接する伝導体の領域の分離された部分と、第ｎ＋１番目のセルのカソードに隣接する対向する伝導体の領域の分離された部分との間に配置され、
　第一のセルのカソードに隣接する伝導体の領域の分離された部分と、最後のセルの光アノードに隣接する伝導体の領域の分離された部分とに設けられた電気的接触（７）によって、デバイスに外部電気的接続がなされ、
　電解質不透隔壁（１４）が、各セルを囲むように形成されており、
　２つの電解質不透隔壁（１４）が、隣接するセル間に設けられた伝導粒子（６）を挟むように、カソードのＴＥＣコート（２）及び光アノードのＴＥＣコート（１１）に接して設けられている、
多重セル再生型光起電光電気化学（ＲＰＥＣ）デバイス。」
（５）甲３の記載
　甲３には次の記載がある。
「【０００１】
　本発明は、光電変換モジュールに係り、より詳細には、基板上のエッジに沿って形成される集電部を持つ光電変換モジュールに関する。」
「【０００４】
　シリコン太陽電池とは異なって、
染料感応型太陽電池
「【００３３】
　図１は、本発明の一実施形態による光電変化モジュール１００を図示した分離斜視図であり、図２は、図１のＩＩ−ＩＩ線に沿って切開図示した結合断面図である。
【００３４】
　図１及び図２を参照すれば、前記光電変換モジュール１００は、
対向して配された受光基板１１０と、相対基板１２０とを備える。前記受光基板１１０及び相対基板１２０上には、光電変換を行うための第１機能層１３０と第２機能層１４０とがそれぞれ形成されている
【００３５】
　前記
第１機能層１３０は、光電極１３１と半導体層１３２とを含む。前記第２機能層１４０は、相対電極１４１と触媒層１４２とを含む。前記第１機能層１３０と第２機能層１４０との間には、電解質層１５０が介在されている
「【００３７】
　前記
光電極１３１は、前記受光基板１１０上に形成された第１透明導電膜１３４と、前記第１透明導電膜１３４上に形成された第１グリッド１３５とを含む
「【００４２】
 前記半導体層１３２は、Ｃｄ、Ｚｎ、Ｉｎ、Ｐｂ、Ｍｏ、Ｗ、Ｓｂ、Ｔｉ、Ａｇ、Ｍｎ、Ｓｎ、Ｚｒ、Ｓｒ、Ｇａ、Ｓｉ、Ｃｒなどの金属化合物で形成される。前記
半導体層１３２は、感光性染料を吸着することで光電変換効率を高めることができる
「【００４７】
　前記
相対電極１４１は、相対基板１２０上に形成された第２透明導電膜１４４と、前記第２透明導電膜１４４上に形成された触媒層１４２を介して形成された第２グリッド１４５とを備える
代案としては、前記第２グリッド１４５は、前記第２透明導電膜１４４上に直接的に形成されうる
「【００５３】
　一方、前記電解質層１５０の周囲にはシーリング材２１０が設置されている。前記シーリング材２１０は、電解質が外部に漏れないように電解質層１５０を密閉させ、モジュール内部の光電変換領域とモジュール外部の周辺領域とを区切る。
【００５４】
　ここで、前記光電変換モジュール１００が大型化しつつ光電変化効率が急激に落ちて、その結果として電子の移動が円滑でないことを防止するために、電子の移動経路を最大限短くするための集電部を形成させる。
【００５５】
　さらに詳細には、前記
受光基板１１０のエッジには、
第１グリッド１３５に対して電気的に連結される第１バス電極１６０が形成されて
相対基板１２０のエッジには、
第２グリッド１４５に対して電気的に連結される第２バス電極１７０が形成されて
第１バス電極１６０と第２バス電極１７０とは、集電電極の役割を行う電極である
【００５６】
　さらに、前記
受光基板１１０のエッジには、前記第１バス電極１６０に対して電気的に連結されず、前記第２バス電極１７０に対して電気的に連結される第１接続ライン１８０が位置できる第１領域１Ａが形成されて
相対基板１２０のエッジには、前記第２バス電極１７０に対して電気的に連結されず、前記第１バス電極１６０に対して電気的に連結される第２接続ライン１９０が位置できる第２領域２Ａが形成されて
「【図１】
【図２】
　　　　　　　　　　　　　　　　　　　　　　　　　　　　　　　　　」
（６）甲３記載の事項
ア　上記（５）の【００４２】では、「半導体層１３２は、感光性染料を吸着することで光電変換効率を高めることができる」とされているから、甲３には、上記（５）の【０００４】の「染料感応型太陽電池」について、記載されているといえる。
イ　上記（５）の【００３４】より、甲３の染料感応型太陽電池について、対向して配された受光基板１１０と、相対基板１２０とを備え、受光基板１１０及び相対基板１２０上には、光電変換を行うための第１機能層１３０と第２機能層１４０とがそれぞれ形成されている。
ウ　上記（５）の【００３５】より、甲３の染料感応型太陽電池について、第１機能層１３０は、光電極１３１と半導体層１３２とを含み、第２機能層１４０は、相対電極１４１と触媒層１４２とを含み、第１機能層１３０と第２機能層１４０との間には、電解質層１５０が介在されている。
エ　上記（５）の【００３７】より、甲３の染料感応型太陽電池について、光電極１３１は、受光基板１１０上に形成された第１透明導電膜１３４と、前記第１透明導電膜１３４上に形成された第１グリッド１３５とを含む。
オ　上記（５）の【００４７】より、甲３の染料感応型太陽電池について、相対電極１４１は、相対基板１２０上に形成された第２透明導電膜１４４と、第２透明導電膜１４４上に直接的に形成された第２グリッド１４５とを備える。
カ　上記（５）の【００５５】より、甲３の染料感応型太陽電池について、受光基板１１０のエッジには、第１グリッド１３５に対して電気的に連結される第１バス電極１６０が形成されており、相対基板１２０のエッジには、第２グリッド１４５に対して電気的に連結される第２バス電極１７０が形成されており、第１バス電極１６０と第２バス電極１７０とは、集電電極の役割を行う電極である。
キ　上記（５）の【００５６】より、甲３の染料感応型太陽電池について、受光基板１１０のエッジには、第１バス電極１６０に対して電気的に連結されず、第２バス電極１７０に対して電気的に連結される第１接続ライン１８０が形成されており、相対基板１２０のエッジには、第２バス電極１７０に対して電気的に連結されず、第１バス電極１６０に対して電気的に連結される第２接続ライン１９０が形成されているとされている。
ク　一方、上記（５）の図２から、甲３の染料感応型太陽電池について、受光基板１１０のエッジには、第１バス電極１６０に対して電気的に連結されず、第２バス電極１７０に対して電気的に連結される第２接続ライン１９０が形成されており、相対基板１２０のエッジには、第２バス電極１７０に対して電気的に連結されず、第１バス電極１６０に対して電気的に連結される第１接続ライン１８０が形成されていることが看取できる。
ケ　そうすると、上記キの事項と上記クの事項とは、整合しないこととなる。
　しかしながら、上記（５）の図１から、II−II線に注目すると、上記キの事項が看取できるから、上記II−II線に沿って切開図示した結合断面図である、上記（５）の図２には誤記が存在し、その誤記は、上記（５）の図２において、引用番号「１８０」が「１９０」、引用番号「１９０」が「１８０」であると考えられる。
コ　そして、上記ケの誤記を踏まえると、上記（５）の図１及び図２から、甲３の染料感応型太陽電池について、第１接続ライン１８０及び第２接続ライン１９０は、光電極１３１及び相対電極１４１の間から、かつ、光電極１３１または相対電極１４１の外縁から突出するように、設けられていることが看取できる。
サ　上記ア〜コより、甲３には、次の事項（以下、「甲３記載の事項」という。
）が記載されていると認められる。
「対向して配された受光基板１１０と、相対基板１２０とを備え、
　受光基板１１０及び相対基板１２０上には、光電変換を行うための第１機能層１３０と第２機能層１４０とがそれぞれ形成されており、
　第１機能層１３０は、光電極１３１と半導体層１３２とを含み、
　第２機能層１４０は、相対電極１４１と触媒層１４２とを含み、
　第１機能層１３０と第２機能層１４０との間には、電解質層１５０が介在されており、
　光電極１３１は、受光基板１１０上に形成された第１透明導電膜１３４と、第１透明導電膜１３４上に形成された第１グリッド１３５とを含み、
　相対電極１４１は、相対基板１２０上に形成された第２透明導電膜１４４と、第２透明導電膜１４４上に直接的に形成された第２グリッド１４５とを備える、染料感応型太陽電池において、
　受光基板１１０のエッジには、第１グリッド１３５に対して電気的に連結される第１バス電極１６０が形成されており、
　相対基板１２０のエッジには、第２グリッド１４５に対して電気的に連結される第２バス電極１７０が形成されており、
　第１バス電極１６０と第２バス電極１７０とは、集電電極の役割を行う電極であり、
　受光基板１１０のエッジには、第１バス電極１６０に対して電気的に連結されず、第２バス電極１７０に対して電気的に連結される第１接続ライン１８０が形成されており、
　相対基板１２０のエッジには、第２バス電極１７０に対して電気的に連結されず、第１バス電極１６０に対して電気的に連結される第２接続ライン１９０が形成されており、
　第１接続ライン１８０及び第２接続ライン１９０は、光電極１３１及び相対電極１４１の間から、かつ、光電極１３１または相対電極１４１の外縁から突出するように、設けられている事項。」
５　対比・判断
５−１　甲１発明を主引例とした場合
（１）請求項１について
本件発明１と甲１発明とを対比する。
ア　甲１発明の「上側の基板１２」、「上側の基板１２」の「ＴＣＯ層１３」、「下側の基板１２’」、「下側の基板１２’」の「ＴＣＯ層１３’」、「色素増感ナノ結晶ＴｉＯ2」、「作用電極」、「対向電極」、「電解液」、「光起電力単一電池２０」、「電気絶縁溝２２，２２’」、「ホットメルトポリマーフォイルの絶縁層１５，１５’」、「タブ１９，１９’」は、それぞれ、本件発明１の「第一の基板」、「第一の導電膜」、「第二の基板」、「第二の導電膜」、「半導体層」、「光電極」、「対向電極」、「電解質」、「発電素子」、「絶縁帯」、「封止材」、「端子」に相当する。
イ　甲１発明の「作用電極を形成する上側の基板１２には、ＴＣＯ層１３と、」「Ａｇ導体１４のパターンとが連続的に配され、色素増感ナノ結晶ＴｉＯ2の各パターン１６がＡｇ導体１４とＡｇ導体１４との間に配されて」いる事項は、本件発明１の「第一の導電膜が成膜された第一の基板に半導体層が形成された光電極」「を備え」る事項に相当する。
ウ　甲１発明の「対向電極を形成する下側の基板１２’には、ＴＣＯ層１３’と、」「Ａｇ導体１４’のパターンとが連続的に配され、Ｐｔの薄層の各パターン１７’がＡｇ導体１４’とＡｇ導体１４’との間に配されて」いる事項は、本件発明１の「第二の導電膜が成膜された第二の基板を備えた対向電極」「を備え」る事項に相当する。
エ　甲１発明の「電解液は、それぞれの作用電極及び対向電極の間のスペースに受け入れられ」、「ホットメルトポリマーフォイルの絶縁層１５，１５’のパターンは、互いに隣接する単一電池２０間の境界全てに形成されて」いる事項は、本件発明１の「電解質」「を備え、前記光電極と前記対向電極とが、これらの間に複数の内部空間を形成するように貼り合わされて封止され、前記電解質が前記複数の内部空間それぞれに充填される」事項に相当する。
オ　甲１発明の「直列に接続されると共に共通の正方形のガラス板２，２’の各象限に配備された４つの光起電力単一電池２０から組み立てられた」事項は、本件発明１の「直列接続された複数の発電素子が形成されて」いる事項に相当する。
カ　甲１発明の「作用電極の基板１２及び対向電極の基板１２’には、互いに隣接する単一電池２０と単一電池２０との間の境界に電気絶縁溝２２，２２’が配されたＴＣＯ層１３，１３’を備え」る事項は、本件発明１の「第一の導電膜及び前記第二の導電膜の少なくとも一方には、前記複数の発電素子の区切りとなる絶縁帯が形成され」る事項に相当する。
キ　甲１発明は、「作用電極を形成する上側の基板１２には、ＴＣＯ層１３と、ホットメルトポリマーフォイルの絶縁層１５で被覆されたＡｇ導体１４のパターンとが連続的に配され」、「対向電極を形成する下側の基板１２’には、ＴＣＯ層１３’と、ホットメルトポリマーフォイルの絶縁層１５’で被覆されたＡｇ導体１４’のパターンとが連続的に配され」ている。
　そして、上記４の（１）の図２及び図３より、ホットメルトポリマーフォイルの層を形成する絶縁層５、及び、ホットメルトポリマーフォイルの層を形成する絶縁層５’が、一体に形成され、下側の基板２’と上側の基板２とが接着していることが看取できるから、同様に、「上側の基板１２」の「Ａｇ導体１４」を「被覆」する「ホットメルトポリマーフォイルの絶縁層１５」と「下側の基板１２’」の「Ａｇ導体１４’」を「被覆」する「ホットメルトポリマーフォイルの絶縁層１５’」とは一体に形成されたものであって、「下側の基板１２’」と「上側の基板１２」を接着しているともいえる。
　そうすると、甲１発明は、本件発明１の「光電極と前記対向電極と間の封止部の少なくとも一部は、前記第一の導電膜と前記第二の導電膜とを封止材によって接着させて形成され」る事項を含むものである。
  
ク　甲１発明の「Ａｇ導体１４，１４’はホットメルトポリマーフォイルの絶縁層１５，１５’の凹部２１，２１’から露出して」おり、「上側の基板１２には、ＴＣＯ層１３と、」「Ａｇ導体１４のパターンとが連続的に配され」ており、「下側の基板１２’には、ＴＣＯ層１３’と、」「Ａｇ導体１４’のパターンとが連続的に配され」ているから、甲１発明の「ＴＣＯ層１３，１３’」も、「Ａｇ導体１４，１４’」と同様に、ホットメルトポリマーフォイルの絶縁層１５’の凹部２１’から外側に露出しているといえる。
　また、甲１発明は、「電気絶縁溝２２，２２’は、互いに隣接する単一電池２０間の境界のみに形成されており、タブ１９，１９’のそれぞれに接続されるＡｇ導体１４，１４’が形成されている領域には形成されておらず」、「作用電極に配される１つのタブ１９が同作用電極上のＡｇ導体１４と接続され、対向電極に配される１つのタブ１９’が同対向電極上のＡｇ導体１４’と接続され」ている。
　さらに、技術常識からすると、甲１発明の「タブ１９」と「Ａｇ導体１４」との間、及び、「タブ１９’」と「Ａｇ導体１４’」との間には、ハンダ等の導電材が形成されていることは明らかであって、当該導電材が本件発明１の「導電材」に相当するといえる。
　したがって、甲１発明は、本件発明１の「第一の導電膜及び前記第二の導電膜のうち、少なくとも一方が前記内部空間から電気的に連続して前記絶縁帯が形成されていない状態で前記封止材を越えて前記内部空間の外側に延設されており、かつ、延設された部分の表面上に、前記部分と導通可能な状態で導電材が配されて」いる事項を含むものである。
ケ　甲１発明の「作用電極に配される１つのタブ１９が同作用電極上のＡｇ導体１４と接続され、対向電極に配される１つのタブ１９’が同対向電極上のＡｇ導体１４’と接続される」事項は、上記クの検討を踏まえると、本件発明１の「導電材には、端子が接続され」る事項に相当する。
コ　甲１発明は、「作用電極を形成する上側の基板１２には、ＴＣＯ層１３と、」「Ａｇ導体１４のパターンとが連続的に配され、」「対向電極を形成する下側の基板１２’には、ＴＣＯ層１３’と、」「Ａｇ導体１４’のパターンとが連続的に配され」たものであり、また、「作用電極に配される１つのタブ１９が同作用電極上のＡｇ導体１４と接続され」、「対向電極に配される１つのタブ１９’が同対向電極上のＡｇ導体１４’と接続される」ものであるから、甲１発明の「タブ１９’」は、「作用電極を形成する上側の基板１２」と「対向電極を形成する下側の基板１２’」との間に設けられたものである。
　そうすると、甲１発明の「タブ１９，１９’は、上側の基板１２及び下側の基板１２’の外縁から突出するように設けられている」事項は、本件発明１の「端子は、前記光電極と前記対向電極との間から、かつ、前記光電極又は前記対向電極の外縁から突出するように設けられている」事項に相当する。
サ　上記ア〜コの検討より、本件発明１と甲１発明とは、
「第一の導電膜が成膜された第一の基板に半導体層が形成された光電極と、第二の導電膜が成膜された第二の基板を備えた対向電極と、電解質とを備え、前記光電極と前記対向電極とが、これらの間に複数の内部空間を形成するように貼り合わされて封止され、前記電解質が前記複数の内部空間それぞれに充填されることで、直列接続された複数の発電素子が形成されており、
　前記第一の導電膜及び前記第二の導電膜の少なくとも一方には、前記複数の発電素子の区切りとなる絶縁帯が形成され、
　前記光電極と前記対向電極と間の封止部の少なくとも一部は、前記第一の導電膜と前記第二の導電膜とを封止材によって接着させて形成され、
　前記第一の導電膜及び前記第二の導電膜のうち、少なくとも一方が前記内部空間から電気的に連続して前記絶縁帯が形成されていない状態で前記封止材を越えて前記内部空間の外側に延設されており、かつ、延設された部分の表面上に、前記部分と導通可能な状態で導電材が配されており、
　前記導電材には、端子が接続され、
　前記端子は、前記光電極と前記対向電極との間から、かつ、前記光電極又は前記対向電極の外縁から突出するように設けられていることを特徴とする電気モジュール。」で一致し、相違点はない。
シ　よって、本件発明１は、甲１発明である。
ス　仮に、相違点があったとしても、当該相違点は、甲１発明に基いて、当業者が容易に発明をすることができたものである。
５−２　甲２発明を主引例とした場合
（１）請求項１について
　本件発明１と甲２発明とを対比する。
ア　甲２発明は、「二つのガラス基板（１、１２）のうち、ガラス基板（１２）上には、ＴＥＣコート（１１）、及び、ルテニウム染料感光性チタニア（９）が形成されて」いるから、甲２発明の「ガラス基板（１）」、「ガラス基板（１２）」、「ＴＥＣコート（２）」、「ＴＥＣコート（１１）」は、それぞれ、本件発明１の「第二の基板」、「第一の基板」、「第二の導電膜」、「第一の導電膜」に相当する。
イ　甲２発明の「ルテニウム染料感光性チタニア（９）」、「酸化還元媒体を含む電解質（５）」、「光電気化学セル」又は「セル」、「電解質不透隔壁（１４）」は、それぞれ、本件発明１の「半導体層」、「電解質」、「発電素子」、「封止材」に相当する。
ウ　甲２発明は、「二つのガラス基板（１、１２）を有し、その両方には透明な電子伝導体（ＴＥＣコート）（２、１１）が被覆されて」いるから、甲２発明の「光アノードはもう一つのＴＥＣコート（１１）に付着させたルテニウム染料感光性チタニア（９）を含」む事項は、本件発明１の「第一の導電膜が成膜された第一の基板に半導体層が形成された光電極」「を備え」る事項に相当する。
エ　甲２発明は、「二つのガラス基板（１、１２）を有し、その両方には透明な電子伝導体（ＴＥＣコート）（２、１１）が被覆されて」いるから、甲２発明の「カソードは、一つのＴＥＣコート（２）に付着させた白金電気触媒（４）を含」む事項は、本件発明１の「第二の導電膜が成膜された第二の基板を備えた対向電極」「を備え」る事項に相当する。
オ　甲２発明の「電解質不透隔壁（１４）が、各セルを囲むように形成されており、２つの電解質不透隔壁（１４）が、隣接するセル間に設けられた伝導粒子（６）を挟むように、カソードのＴＥＣコート（２）及び光アノードのＴＥＣコート（１１）に接して設けられている」事項は、本件発明１の「光電極と前記対向電極とが、これらの間に複数の内部空間を形成するように貼り合わされて封止され、」「前記光電極と前記対向電極と間の封止部の少なくとも一部は、前記第一の導電膜と前記第二の導電膜とを封止材によって接着させて形成され」る事項に相当する。
カ　甲２発明の「酸化還元媒体を含む電解質（５）はカソードと光アノードの間に配置され」る事項は、本件発明１の「電解質」「を備え、」「前記電解質が前記複数の内部空間それぞれに充填される」事項に相当する。
キ　甲２発明の「ＴＥＣコート（２、１１）は電気的に各個別の光電気化学セルを分離するよう、選択的に分離されて」いる事項は、本件発明１の「第一の導電膜及び前記第二の導電膜の少なくとも一方には、前記複数の発電素子の区切りとなる絶縁帯が形成され」る事項に相当する。
ク　甲２発明の「第一のセルのカソードに隣接する伝導体の領域の分離された部分」及び「最後のセルの光アノードに隣接する伝導体の領域の分離された部分」は、甲２の【請求項３】の記載を認定の根拠にしている（上記４の（３）参照。）ところ、【請求項３】が引用する【請求項１】には、「各基板上の伝導体は電気的に分離された領域になるように各々隔てられており、各々のセルは対向する平面伝導体の二つの領域の部分間に形成されていて」（上記４の（３）参照。）と記載されていることから、甲２発明の「伝導体の領域の分離された部分」とは、伝導体の領域の一部分を意味すると解される。
ケ　また、甲２発明の「伝導粒子が、第ｎ番目のセルの光アノードに隣接する伝導体の領域の分離された部分と、第ｎ＋１番目のセルのカソードに隣接する対向する伝導体の領域の分離された部分との間に配置され」た事項は、上記４の（３）の図３に示された光電気デバイスに関する事項であると考えられる。
　そして、「光アノード」とは、図３において、ＴＥＣコート（１１）のうち、右側の電解質不透隔壁１４よりも右側の領域であり、「光アノードに隣接する伝導体の領域」とは、図３において、ＴＥＣコート（１１）のうち、２つの電解質不透隔壁１４の間であって、伝導粒子（６）の下部に存在する領域であると考えられ、また、同様に「カソードに隣接する伝導体の領域」とは、図３において、ＴＥＣコート（２）のうち、２つの電解質不透隔壁１４の間であって、伝導粒子（６）の上部に存在する領域であると考えられる。
コ　そして、甲２発明の「第一のセルのカソードに隣接する伝導体の領域の分離された部分」及び「光アノードに隣接する伝導体の領域の分離された部分」も上記ケと同様に解釈し得るから、甲２発明の「第一のセルのカソードに隣接する伝導体の領域の分離された部分と、最後のセルの光アノードに隣接する伝導体の領域の分離された部分とに設けられた電気的接触（７）によって、デバイスに外部電気的接続がなされ」る事項と、本件発明１の「第一の導電膜及び前記第二の導電膜のうち、少なくとも一方が前記内部空間から電気的に連続して前記絶縁帯が形成されていない状態で前記封止材を越えて前記内部空間の外側に延設されており、かつ、延設された部分の表面上に、前記部分と導通可能な状態で導電材が配されており、前記導電材には、端子が接続され、前記端子は、前記光電極と前記対向電極との間から、かつ、前記光電極又は前記対向電極の外縁から突出するように設けられている」事項とは、「第一の導電膜及び前記第二の導電膜のうち、少なくとも一方が前記内部空間から電気的に連続して前記絶縁帯が形成されていない状態で前記封止材を越えて前記内部空間の外側に延設されており、その延設された部分が電気的に外部と接続されている」事項で共通する。
サ　上記ア〜コの検討より、本件発明１と甲２発明とは、
「第一の導電膜が成膜された第一の基板に半導体層が形成された光電極と、第二の導電膜が成膜された第二の基板を備えた対向電極と、電解質とを備え、前記光電極と前記対向電極とが、これらの間に複数の内部空間を形成するように貼り合わされて封止され、前記電解質が前記複数の内部空間それぞれに充填されることで、直列接続された複数の発電素子が形成されており、前記第一の導電膜及び前記第二の導電膜の少なくとも一方には、前記複数の発電素子の区切りとなる絶縁帯が形成され、
　前記光電極と前記対向電極と間の封止部の少なくとも一部は、前記第一の導電膜と前記第二の導電膜とを封止材によって接着させて形成され、
　第一の導電膜及び前記第二の導電膜のうち、少なくとも一方が前記内部空間から電気的に連続して前記絶縁帯が形成されていない状態で前記封止材を越えて前記内部空間の外側に延設されており、その延設された部分が電気的に外部と接続されている、電気モジュール。」で一致し、次の点で相違する。
（相違点）
「延設された部分が電気的に外部と接続されている」箇所について、本件発明１は、「延設された部分の表面上に、前記部分と導通可能な状態で導電材が配されており、前記導電材には、端子が接続され、前記端子は、前記光電極と前記対向電極との間から、かつ、前記光電極又は前記対向電極の外縁から突出するように設けられている」のに対し、甲２発明は、「電気的接触（７）によって、デバイスに外部電気的接続がなされ」ているだけで、その詳細が不明である点。
シ　以下、上記相違点について検討するに、上記４の（６）のサの甲３記載の事項を参照する。
ス　そして、甲３記載の事項は、「第１透明導電膜１３４上に形成された第１グリッド１３５」「を含み、」「第２透明導電膜１４４上に直接的に形成された第２グリッド１４５」「を備える」ものであるから、甲３記載の事項の「受光基板１１０のエッジには、第１グリッド１３５に対して電気的に連結される第１バス電極１６０が形成されており、相対基板１２０のエッジには、第２グリッド１４５に対して電気的に連結される第２バス電極１７０が形成されて」いる事項は、本件発明１の「第一の導電膜及び前記第二の導電膜のうち、少なくとも一方」の「延設された部分の表面上に、前記部分と導通可能な状態で導電材が配されて」いる事項に相当する。
セ　また、甲３記載の事項の「第１バス電極１６０と第２バス電極１７０とは、集電電極の役割を行う電極であり、受光基板１１０のエッジには、第１バス電極１６０に対して電気的に連結されず、第２バス電極１７０に対して電気的に連結される第１接続ライン１８０が形成されており、相対基板１２０のエッジには、第２バス電極１７０に対して電気的に連結されず、第１バス電極１６０に対して電気的に連結される第２接続ライン１９０が形成されており、第１接続ライン１８０及び第２接続ライン１９０は、光電極１３１及び相対電極１４１の間から、かつ、光電極１３１または相対電極１４１の外縁から突出するように、設けられている」事項は、本件発明１の「導電材には、端子が接続され、前記端子は、前記光電極と前記対向電極との間から、かつ、前記光電極又は前記対向電極の外縁から突出するように設けられている」事項に相当する。
ソ　すなわち、上記ス、セより、甲３記載の事項は、本件発明１の上記相違点に係る発明特定事項を含むものである。
タ　そして、甲２発明と甲３記載の事項とは、「光起電光電気化学（ＲＰＥＣ）デバイス」と「染料感応型太陽電池」という共通のデバイスに関するものであるし、両者は次の事項を含む点で共通するものである。
「二つの基板を有し、その両方には透明な電子伝導体が被覆されており、
　一方の電極は、一つの透明な電子伝導体に付着させた電気触媒を含み、
　他方の電極はもう一つの透明な電子伝導体に付着させた半導体を含み、
　酸化還元媒体を含む電解質は一方の電極と他方の電極の間に配置され、
　第一のセルの一方の電極に隣接する伝導体の領域に設けられた電気的接触によって、デバイスに外部電気的接続がなされる事項。」
チ　したがって、甲２発明において、「第一のセルのカソードに隣接する伝導体の領域の分離された部分と、最後のセルの光アノードに隣接する伝導体の領域の分離された部分とに設けられた電気的接触（７）によって、デバイスに外部電気的接続がなされ」る事項について、甲３記載の事項の「受光基板１１０のエッジには、第１グリッド１３５に対して電気的に連結される第１バス電極１６０が形成されており、相対基板１２０のエッジには、第２グリッド１４５に対して電気的に連結される第２バス電極１７０が形成されており、第１バス電極１６０と第２バス電極１７０とは、集電電極の役割を行う電極であり、受光基板１１０のエッジには、第１バス電極１６０に対して電気的に連結されず、第２バス電極１７０に対して電気的に連結される第１接続ライン１８０が形成されており、相対基板１２０のエッジには、第２バス電極１７０に対して電気的に連結されず、第１バス電極１６０に対して電気的に連結される第２接続ライン１９０が形成されており、第１接続ライン１８０及び第２接続ライン１９０は、光電極１３１及び相対電極１４１の間から、かつ、光電極１３１または相対電極１４１の外縁から突出するように、設けられている」事項を適用して、上記相違点に係る本件発明１の発明特定事項を得ることは、当業者が容易になし得たことである。
ツ　よって、本件発明１は、甲２発明及び甲３記載の事項に基いて、当業者が容易に発明をすることができたものである。
（２）請求項３について
ア　甲２発明の「伝導粒子が、第ｎ番目のセルの光アノードに隣接する伝導体の領域の分離された部分と、第ｎ＋１番目のセルのカソードに隣接する対向する伝導体の領域の分離された部分との間に配置され」た事項は、「伝導粒子が、第ｎ＋１番目のセルの光アノードに隣接する伝導体の領域の分離された部分と、第ｎ＋２番目のセルのカソードに隣接する対向する伝導体の領域の分離された部分との間に配置され」た事項を示唆するものであるところ、第ｎ＋１番目のセルにおける光アノードに隣接する伝導体の領域の分離された部分とカソードに隣接する対向する伝導体の領域の分離された部分に注目すると、本件発明３の「第一の導電膜及び前記第二の導電膜の両方が、前記内部空間から電気的に連続して前記絶縁帯が形成されていない状態で前記封止材を越えて前記内部空間の外側に延設され、ここで前記第一の導電膜及び前記第二の導電膜は、前記内部空間を挟んで反対側に延設されており、かつ、前記第一の導電膜及び前記第二の導電膜の延設された部分のそれぞれの表面上に、前記部分と導通可能な状態で前記導電材が配されている」事項に相当する。
イ　そうすると、本件発明３と甲２発明とは、上記（１）のサで示した相違点で相違し、その余の点で一致する。
ウ　そして、上記（１）のシ〜チで検討したとおり、甲２発明において、甲３記載の事項を適用して、上記相違点に係る本件発明１の発明特定事項を得ることは、当業者が容易になし得たことであるから、本件発明３も、同様に、甲２発明及び甲３記載の事項に基いて、当業者が容易に発明をすることができたものである。
６　むすび 
　以上のとおり、本件特許の請求項１に係る発明は、本件特許に係る出願の優先日前日本国内または外国において頒布された甲第１号証に記載された発明であって、特許法第２９条第１項第３号に該当し、特許を受けることができず、そうでないとしても、甲第１号証に記載された発明に基いて、その優先日前に当業者が容易に発明をすることができたものであって、特許法第２９条第２項の規定により特許を受けることができない。また、本件特許の請求項１、３に係る発明は、本件特許に係る出願の優先日前日本国内または外国において頒布された甲第２、３号証に記載された発明に基いて、その優先日前に当業者が容易に発明をすることができたものであって、特許法第２９条第２項の規定により特許を受けることができない。したがって、本件特許の請求項１、３に係る特許は、特許法第１１３条第２号に該当し、取り消されるべきものである。
　よって、結論のとおり決定する。
【異議決定日】
令和２年９月１４日（２０２０．９．１４）